(57)【要約】【課題】シリコンを材料として形成されたひげぜんまいにとって好適な、ひげぜんまいの長さを調整してばね定数を変更するための調整機構を備える時計用ぜんまい装置を提供する。【解決手段】回転軸体と嵌合するための貫通孔を有するひげ玉と、ひげ玉と接続し、貫通孔を中心にしてひげ玉に巻回されるコイル形状の板状部分とからなる、シリコンを主成分とするひげぜんまいと、で構成される調速機構を有する時計用ぜんまい装置である。さらに、ひげ玉と板状部分との接続部分に、ひげぜんまいの長さを調整してばね定数を変更する調整機構を設けた。【選択図】図１
2015036656.tif 000002
【特許請求の範囲】
【請求項１】
回転軸体と嵌合するための貫通孔を有するひげ玉と、
前記ひげ玉と接続し、前記貫通孔を中心にして前記ひげ玉に巻回されるコイル形状のぜんまい部とからなる、シリコンを主成分とするひげぜんまいと、
で構成される時計用ぜんまい装置であって、
前記ひげ玉と前記ぜんまいとの接続部分に、前記ひげぜんまいのばね定数を変更する調整機構を備える
ことを特徴とする時計用ぜんまい装置。
【請求項２】
前記調整機構は、前記ひげ玉と前記ぜんまいとを接続する連結部を複数設け、
前記連結部を選択的に除去することで前記ぜんまいの長さを変更する
ことを特徴とする請求項１に記載の時計用ぜんまい装置。
【発明の詳細な説明】
【技術分野】
【０００１】
本発明は、時計用ぜんまい装置に関し、特に調速機構におけるひげぜんまいの改良に関する。
【背景技術】
【０００２】
従来の機械式時計においては、機械の運転を規則正しく一定の速度に保つために、ひげぜんまいとてん輪とで構成する調速機（てんぷ）が使われている。等時性のあるひげぜんまいの伸縮によりてん輪は規則正しく往復回転運動を行う。
【０００３】
てんぷには、がんぎ車とアンクルとで構成される脱進機という機構が接続されており、ひげぜんまいからエネルギーが伝達されて、振動を持続するようになっている。
【０００４】
知られているひげぜんまいは、金属を加工して形成する場合が多い。このため、その加工精度のばらつきや金属が有する内部応力の影響などによって、設計通りの形状が得られない場合がある。
【０００５】
ひげぜんまいは規則的にてんぷを振動させる必要があるから、設計通りの形状が得られないとてん輪も等時性のある運動ができなくなり、時計の歩度ずれが生じてしまう。時計の歩度とは、一日あたりの時計の進み又は遅れの程度を示すものである。
【０００６】
広く知られている代表的な時計機構では、てんぷに含まれるひげぜんまいの外周部が、緩急機構に取り付けられたひげ棒（又はひげ受）に接触することによって、ひげぜんまいの有効長さを変えて、時計の歩度を変化させている。緩急機構には、緩急針が取り付けられており、歩度の調整はこの緩急針を操作して行う。
【０００７】
しかし、このような緩急機構は、てん輪の回転角の変化や時計の姿勢の変化などにより、ひげぜんまいの外周部が緩急機構を構成するひげ棒に接触するなどして、ひげぜんまいの伸縮を制限したりすることがあった。
【０００８】
このようなことから、時計の歩度が不安定になるばかりか、緩急機構自体の設計も難しくなるという問題があった。もちろん、緩急機構は緩急針を操作する必要があるから、構造体としてある程度の大きさが必要であり、時計を極度に小さくしたいときなどはその妨げになりかねない。
【０００９】
そこで、従来の緩急針を操作する緩急機構に代わり、ひげぜんまいの外周部の有効長さを容易に調節できるような緩急機構を備えた調速機構を持つ機械式時計が提案されている（例えば、特許文献１、特許文献２参照。）。
【００１０】
特許文献１や特許文献２に示した緩急機構は、緩急針を必要としない構成であり、構造体としては小さくできる。また、複雑な機構を有しないので周辺を圧迫することなく、ひげぜんまいの伸縮も制限しない。
【００１１】
ところで近年、シリコン基板をエッチング加工することによって時計部品を製造する試みがなされている。従来の金属部品を用いる時計部品の製造に比べ軽量にできるという利点と、安価で大量生産ができる利点とがあると言われている。これにより、小型軽量の時計を製造することができると期待されている。
【００１２】
シリコン基板をエッチングする際、近年ではドライエッチング技術であるの反応性イオンエッチング（Ｒｅａｃｔｉｖｅ  Ｉｏｎ  Ｅｔｃｈｉｎｇ：ＲＩＥ）技術が進歩してきた。中でも、深堀りＲＩＥ（Ｄｅｅｐ  ＲＩＥ）技術が開発され、アスペクト比が高いエッチングが可能になってきた。
【００１３】
この技術によると、エッチングがフォトレジストでマスクした部分の下に回り込まないために、垂直深さ方向にマスクパターンを忠実に再現できるようになり、シリコン基板をエッチングする際に、時計部品を設計通りの形状で精度よく製造することが可能となってきた。
【００１４】
そもそもシリコンは、金属よりも温度特性がよい。従来のひげぜんまいの材料として用いられる金属よりも環境温度に対して変形しにくいという特徴がある。このことから、時計の調速機構にもこの技術を応用することが考えられている。
【００１５】
しかしながら、シリコンは脆性材料であるから、緩急針を備えた緩急機構を用いることができない。緩急針による歩度調整のときにひげぜんまいが破損してしまうからである。そこで発明者は、シリコン製のひげぜんまいを有する調速機構に特許文献１又は特許文献２に示した緩急機構が転用できないか検討した。
【先行技術文献】
【特許文献】
【００１６】
【特許文献１】特開２００６−２１４８２２号公報（第４頁、図１、図２）
【特許文献２】特開２００６−２１４８２１号公報（第６―７頁、図１、図２）
【発明の概要】
【発明が解決しようとする課題】
【００１７】
特許文献１に示した従来技術は、図６（ａ）に示したように、ひげぜんまいの長さが短くなるような位置のひげ外端固定部６０２ａにひげ外端位置決め部６０１を接続させて選択した場合、それよりもひげぜんまいの端部側にある部分（ひげ外端固定部６０２ｂ〜６０２ｅ）はすべて不要な余剰部分６０３となる。
【００１８】
このため、時計に衝撃が加わった場合、脆性材料であるシリコン製のひげぜんまいでは、部分６０４のあたりから余剰部分６０３が折れてしまう可能性がある。そうすると、折れた余剰部分６０３が時計機構に入り込み、動作障害を起こす可能性があることがわかった。
【００１９】
特許文献２に示した従来技術は、ひげぜんまいの外周部に大きな長さ調整領域が必要になる。このため、ひげぜんまいの占める面積が大きくなってしまい、時計の小型化が図れないことが分かった。
【００２０】
以上のことから、シリコン製のひげぜんまいには、特許文献１に示した従来技術は転用できず、時計の小型化を考えたり腕時計のような小型軽量の時計にあっては特許文献２に示した従来技術は転用できないことが分かった。
【００２１】
また、シリコン製のひげぜんまい特有の問題として、図６（ｂ）に示したように、時計に強い衝撃が加わったとき、ひげぜんまい６０５のばねの部分（板状部分６０６）とひげ玉６０７との接続部６０８が破断し、ひげぜんまい６０５とひげ玉６０７とが分離してしまうという問題もある。
【００２２】
本発明の目的は、上記従来技術の課題に鑑み、機械式時計の調速機構において、シリコ
ン製のひげぜんまいにとって好適な、ひげぜんまいの有効長さを調整してばね定数を変更するための調整機構を備えると共に、衝撃にも強い時計用ぜんまい装置を提供することである。
【課題を解決するための手段】
【００２３】
前述した目的を達成するための本発明における時計用ぜんまい装置は、以下の構成を採用する。
【００２４】
回転軸体と嵌合するための貫通孔を有するひげ玉と、このひげ玉と接続し、貫通孔を中心にしてひげ玉に巻回されるコイル形状のぜんまい部とからなる、シリコンを主成分とするひげぜんまいと、で構成される時計用ぜんまい装置であって、
ひげ玉とひげぜんまいとの接続部分に、ひげぜんまいのばね定数を変更する調整機構を備えることを特徴とする。
【００２５】
このような構成にすれば、ひげぜんまいの外周部分のスペースを圧迫することなく、ばね定数を変更できる。
【００２６】
また、調整機構は、ひげ玉とひげぜんまいとを接続する連結部を複数設け、この連結部を選択的に除去することでひげぜんまいの長さを変更すると良い。
【００２７】
このような構成にすれば、ひげぜんまいのばね定数を簡単に調整できる。また、連結部を調整量よりも大きくしておけば、調整を行ってもひげ玉とひげぜんまいとは複数の連結部により接続されているので、この部分が破損しにくい。
【発明の効果】
【００２８】
本発明によれば、ひげ玉とぜんまいとの接続部分に、ひげぜんまいのばね定数を変更する調整機構を備えている。調整機構は、ひげぜんまいの長さを調整することでひげぜんまいのばね定数を変更する。これにより、調速機構が小型化でき、時計の小型化も図ることができる。
また、ひげ玉とひげぜんまいの板状部分が調整機構の複数の連結部により繋がっているため、時計に衝撃が加わっても破損しにくい。
【図面の簡単な説明】
【００２９】
【図１】本発明の第１実施形態である時計用ぜんまい装置のひげぜんまいを示す平面図であり、ばね定数を調整する前の状態を示す図面である。
【図２】本発明の第１実施形態である時計用ぜんまい装置のひげぜんまいの調整機構を拡大した平面図である。
【図３】本発明の第１実施形態である時計用ぜんまい装置のひげぜんまいの調整機構を拡大した平面図であり、ばね定数を調整した後の状態を示す図面である。
【図４】本発明の時計用ぜんまい装置を説明する側断面図である。
【図５】本発明の第２実施形態である時計用ぜんまい装置の調整前のひげぜんまいを示す平面図である。
【図６】従来技術を説明する平面図である。
【発明を実施するための形態】
【００３０】
以下、本発明の時計用ぜんまい装置について、図面を参照して詳細に説明する。
まず、図１から図４を用いて第１実施形態を説明し、図５を用いて第２実施形態を説明する。第１実施形態は、ひげぜんまいのひげ玉近傍に設ける調整機構について詳述するものである。第２実施形態は、さらにバランス調整を行う例を示すものである。
【実施例１】
【００３１】
［時計用ぜんまい装置のひげぜんまいの説明：図１、図２、図３］
まず、第１実施形態として、時計用ぜんまい装置のひげぜんまいの構成を、図１、図２を用いて説明する。
図１、図２は時計用ぜんまい装置を構成するひげぜんまいを説明するための平面図であり、図２は図１の主要部分である調整機構を説明しやすいように拡大した平面図である。
【００３２】
図１、図２において、２はひげぜんまい、２ａはひげぜんまいの板状部分、３はひげ玉、３ａはひげ玉の貫通孔、５はひげ持、５ａはひげ持の貫通孔、１０は調整機構、１０ａ〜１０ｆは連結部である。１２はひげぜんまい２とひげ玉３との接続部である。
【００３３】
ひげぜんまい２は、シリコンを主成分とする材料から、例えば、深堀りＲＩＥを用いるなどしてなる半導体装置と同様な公知の製造技術により形成される。したがって、ひげぜんまい２の板状部分２ａと、ひげ玉３と、調整機構１０及び接続部１２と、ひげ持５とは、一体で構成されている。
【００３４】
ひげぜんまい２は、特に限定しないが、その大きさの一例をあげると、ばね部分となる板状部分２ａの厚さをｔ、幅をｂとするとするとき、厚さｔ＝２０〜５０μｍ、幅ｂ＝１００〜２００μｍ程度であり、大凡の直径は４〜７ｍｍ程度の範囲である。
【００３５】
ひげぜんまい２の板状部分２ａは、ひげ玉３の中心部分に設ける貫通孔３ａを中心にコイル形状（渦巻き形状とも言う）状をしている。
ひげぜんまい２の中心部分はひげ玉３があり、このひげ玉３には、後述する回転軸体であるてん真４と嵌合する貫通孔３ａが設けてある。
【００３６】
ひげぜんまい２の板状部分２ａの巻き始めとなる部分とひげ玉３とは接続部１２で接続されており、接続部１２の近傍には、ひげぜんまい２のばね定数を調整する調整機構１０が設けてある。
【００３７】
ひげぜんまい２の板状部分２ａの巻き終わりとなる終端にはひげ持５があり、このひげ持５には、後述するひげ持ピン６と嵌合する貫通孔５ａが設けてある。
てん真４、ひげ持ピン６は図１及び図２には図示していないが、図４を用いて後述する。
【００３８】
［調整機構の説明：図２、図３］
次に、ひげぜんまい２の調整機構１０について図２、図３を用いて説明する。
図２は調整機構１０を説明するために図１の要部を拡大した平面図であり、調整機構１０による調整前の状態を示すものである。図３は、図２と同様な平面図であり、調整後の状態を示すものである。
【００３９】
図２に示すように、ひげ玉３と板状部分２ａとの接続部１２の近傍には、板状部分２ａととひげ玉３との間を連結する複数の連結部１０ａ、１０ｂ、１０ｃ、１０ｄ、１０ｅ、１０ｆとからなる、調整機構１０を設けてある。
この例では、調整機構１０は、６つの連結部１０ａ〜１０ｆにより構成しているが、もちろん、連結部の数は６本に限定しない。予め実験などにより定めた歩度の調整量に基づいて、連結部同士の間隔や本数を定めている。
【００４０】
ひげぜんまいのばね定数を変更するには、ひげぜんまいの長さを調整すればよい。すなわち、ひげぜんまい２のばね定数を変更するには、連結部１０ａ〜１０ｆのいずれかを切断することでひげぜんまい２の長さを変えるのである。連結部の切断は、公知のレーザー
加工機によるレーザー照射や、収束イオンビーム（Ｆｏｃｕｓｅｄ  Ｉｏｎ  Ｂｅａｍ：ＦＩＢ）装置によるイオンビーム照射で行うことができる。
【００４１】
ひげぜんまい２の調整前の長さ（ひげ持５から調整機構１０までの長さ）は、所定の歩度の調整量を見込んだ上で、目標の歩度より進むような長さに設定しておく。
時計の歩度を測定した結果に応じて、図３に示すように、必要になる分の連結部１０ａ〜１０ｆのいずれか１つ又は複数を、例えば、レーザー加工により切断する。図３に示す例では、連結部１０ａ、１０ｂを切断した様子を示している。
【００４２】
図３において、１０ａｂは連結部１０ａの切断部分であり、１０ｂｂは連結部１０ｂの切断部分である。レーザー加工などにより、連結部１０ａには切断部１０ａｂができ、同じく連結部１０ｂには切断部１０ｂｂができるため、ひげぜんまい２の長さは、ひげ持５（図３には図示しない。図１を参照）から連結部１０ｃまでとなる。
【００４３】
上述のように、ひげぜんまいのばね定数の変更を行ってひげぜんまい２の長さを長くすると、すなわち歩度を遅らせる方向に調整されて、結果、時計の歩度が適正なものに調整される。
【００４４】
ひげぜんまい２は、すでに説明したように加工精度の高いシリコンを材料としていることから、深堀りＲＩＥを用いるなどして形成されたひげぜんまい２の形状は、ほぼ設計通りのものとなる。したがって、歩度の調整に要するひげぜんまい２の調整長さの範囲は、僅かなものとなる。つまり、図１〜図３に示すように、調整機構１０をひげ玉３の近傍に設けても、十分調整できるのである。
【００４５】
すなわち、調整機構をひげ持近傍に配置する場合に比べ、調整機構１０自体の大きさを大変小さくすることができ、時計の小型化を図ることができるのである。
【００４６】
また、シリコンは熱膨張率が一般的な金属より小さいため、シリコン製のひげぜんまいは金属製ヒゲゼンマイに比べ熱膨張による時計の歩度への影響が小さくなる。
【００４７】
そして、このようにひげぜんまい２のひげ玉３の近傍に調整機構１０を設ける利点はさらにある。
図１〜図３に示すように、調整機構１０を構成する連結部が複数あることによって、ひげ玉３と板状部分２ａとの接続強度を増すことができるのである。
【００４８】
すなわち、図３に示す例では、ひげ玉３と板状部分２ａとの接続部分は、接続部１２に加え連結部１０ｃ〜１０ｆによりなされている。このように、ひげぜんまいのばね定数を変更する調整を行っても、ひげ玉とひげぜんまいとは複数の連結部（接続部）によりさらに接続されているので、時計に強い衝撃が加わっても応力が分散して、この部分が破損しにくくなるのである。
【００４９】
無論、歩度の調整の範囲によっては、図示する連結部１０ａ〜１０ｆをすべて切断しなければならない場合もある。そのような場合でも、予め実験を行うなどして調整範囲を予測し、接続部の数を多く設計し、ひげぜんまい２の長さを最も長く調整しても、連結部が１つにならないようにしておけばよい。そうすれば、ひげ玉３と板状部分２ａとの接続強度は低下することはないのである。
【００５０】
また、特許文献１に比しても有利な点があり、本発明の時計用ぜんまい装置は、ひげぜんまい２の連結部１０ａ〜１０ｆのいずれかを切断しても、切断による余剰部分が発生しないのである。
【００５１】
すなわち、連結部は、ひげ玉３と板状部分２ａとの間を連結しているため、板状部分２ａに余剰部分が発生しない。すでに図６（ａ）を用いて説明したように、特許文献１の例でいう余剰部分６０３が発生しないので、余剰部分が破壊された場合に起こる問題を生じないのである。
【００５２】
［ひげぜんまいの長さとばね定数の説明］
ここで、ひげぜんまい２の長さとそのばね定数の関係について説明する。
てん輪はひげぜんまいと組み合わせて調速機構（てんぷ）として揺動運動をすることによって、時計の精度（歩度）を司る。てんぷの周期Ｔはひげぜんまいのばね定数Ｋと、てんぷの慣性モーメント（すなわち、てん輪の慣性モーメント）Ｉとのバランスで決定され、数１で表される。
【数１】
2015036656.tif 000003
【００５３】
そして、ひげぜんまいのばね定数Ｋは、ひげぜんまいの寸法（長さＬ、幅ｂ、厚さｔ）や材料のヤング率Ｅから、数２のように表される。
【数２】
2015036656.tif 000004
【００５４】
したがって、時計の歩度を合わせこむには、ひげぜんまい２の調整機構１０の連結部１０ａ、１０ｂ、・・・を適宜破断することによって、ひげぜんまいの長さＬを調整して、ひいてはひげぜんまいのばね定数を調整することになる。
【００５５】
［時計用ぜんまい装置の構成説明：図４］
ここで、時計用ぜんまい装置の構成を、図４を用いて説明する。
図４は、時計用ぜんまい装置を用いた時計の調速機構（てんぷ）の周辺の構成を説明する側断面図である。図４において、４は回転軸体であるてん真、６はひげ持ピン、７はてんぷ受、８がてん輪、９が地板である。すでに説明した構成、説明に関係のない構成（例えば、軸受けなど）は省略してある。
【００５６】
時計用ぜんまい装置１は、てん真４に対して同軸にひげぜんまい２とてん輪８とが取り付けられており、てん真４の一方はてんぷ受７、他方は地板９に取り付けられている。そして、ひげぜんまい２の端部であるひげ持５は、図示しないが貫通孔５ａにひげ持ピン６が嵌合し、このひげ持ピン６はてんぷ受７に固定されている。
【００５７】
調整機構１０は図４には図示しないが、ひげぜんまい２のひげ玉３の近傍にあるから、ひげ持５の周辺のスペースを圧迫することはない。
【実施例２】
【００５８】
［時計用ぜんまい装置の第２実施形態の説明：図５］
次に、第２実施形態としてバランス調整機構を設けた時計用ぜんまい装置のひげぜんま
いの構成を、図５を用いて説明する。図５において、１１はバランス調整機構として機能する空孔である。１３は空孔１１を備えるひげ玉である。２０は第２実施形態のひげぜんまいである。なお、すでに説明した同一の構成には同一の番号を付与している。
【００５９】
図５に示す第２実施形態のひげぜんまい２０と、すでに説明した第１実施形態におけるひげぜんまい２と異なるところは、ひげ玉１３に、平面視で貫通孔３ａを中心として対称に複数の重心調整用の空孔１１を設けている点である。空孔１１は、図５に示す例では、４カ所設けている。
【００６０】
歩度の調整において、ひげぜんまいの長さが適する値であっても、歩度がずれる場合がある。それは、ひげぜんまいの回転バランスが正常ではないときに起きる。第２実施形態のひげぜんまい２０は、ひげ玉１３にバランス調整機構として重心調整用の空孔１１を備えている。この空孔１１に、重さを変える材料を埋め込むことで重心が移動し、ひげぜんまい２０のバランスを調整することができるのである。
【００６１】
公知の測定器などを用いてひげぜんまい２０の回転バランスがくずれていることを調べるか、歩度を測定するかして、時計用ぜんまい装置の歩度のずれを確認し、それに基づいて、所定の位置の空孔１１にはんだを流し込んだり、ＦＩＢ装置などを用いて例えばタングステンなどを埋め込むのである。ＦＩＢ装置を使用すれば、イオンビームの照射によるエッチングと所定の材料のデポジションとが同じ装置でできるため、埋め込み量を合わせこむことができて便利である。
【００６２】
図５を用いて説明した空孔１１は、ひげ玉１３を貫通するように構成しても、貫通せず溝のように深堀りされていいても構わない。また、溝形状の場合は、ひげ玉３を平面視で円形に例えて、その接線と平行な方向や法線方向に延びるような形状の溝であってもよい。
【００６３】
また、このバランス調整は、調整機構１０による歩度の調整を行った際に、連結部の切断に伴って生じたわずかな重心の偏りを補正してもよいことは無論である。
【産業上の利用可能性】
【００６４】
この発明によれば、脆性材料であるシリコン製のぜんまいを用いてもひげぜんまいのばね定数を変更することができる。これにより、時計を小型化できるため、小型の腕時計用のぜんまい装置として好適である。
【符号の説明】
【００６５】
１  時計用ぜんまい装置
２  ひげぜんまい
２ａ  板状部分
３、１３  ひげ玉
４  てん真
５  ひげ持
６  ひげ持ピン
７  てんぷ受
３ａ  貫通孔
１０  調整機構
１０ａ、１０ｂ、１０ｃ、１０ｄ、１０ｅ、１０ｆ  連結部
１０ａｂ、１０ｂｂ  切断部
１１  空孔
【図１】
2015036656.tif 000005
【図２】
2015036656.tif 000006
【図３】
2015036656.tif 000007
【図４】
2015036656.tif 000008
【図５】
2015036656.tif 000009
【図６】
2015036656.tif 000010